(57)【要約】      （修正有）【課題】鍵を紛失した場合であっても、保護者の手で簡単に開錠することが可能な、玩具用の南京錠を提供する。【解決手段】錠前本体ケース部１１と、錠前本体ケース部にスライド可能に取り付けられ、施錠対象物に掛止される掛け金部１２と、錠前本体ケース部の内部に配設され、掛け金部を施錠状態に保持しうる錠前機構部１３とを備え、錠前本体ケース部には鍵穴部１４が設けられ、鍵穴部から開錠鍵を挿入することによって、掛け金部の施錠状態を解除しうる。錠前本体ケース部には、錠前本体ケース部の背面部を貫通する非常用孔部２０からなる非常開錠機構部１６が設けられる。非常用孔部に棒状部材を挿入し、錠前機構部の係合部材１８を移動させ開錠する。【選択図】図１
0003170329.tif 000002
【実用新案登録請求の範囲】
【請求項１】
玩具用の収納具等を施錠するために用いられ、
錠前本体ケース部と、上記錠前本体ケース部にスライド可能に取り付けられ、施錠対象物に掛止される掛け金部と、上記錠前本体ケース部の内部に配設され、上記掛け金部を施錠状態に保持しうる錠前機構部とを備え、上記錠前本体ケース部には鍵穴部が設けられ、上記鍵穴部から開錠鍵を挿入することによって、上記掛け金部の施錠状態を解除しうる玩具用の南京錠であって、
上記錠前本体ケース部には、上記開錠鍵を用いることなく、上記掛け金部の施錠状態を解除しうる、非常開錠機構部が設けられていることを特徴とする玩具用の南京錠。
【請求項２】
上記掛け金部は、正面Ｕ字形に形成され、上記掛け金部の一端部は、上記錠前本体ケース部内において、スライド可能に配置されると共に、他端部は、上記一端部のスライド動作に連動して、上記錠前本体ケース部に出没しうるように配置され、
上記錠前機構部は、上記掛け金部の一端部に設けられた掛け金部係止用溝部と、上記掛け金部の他端部が上記錠前本体ケース部内に没入された状態において、上記掛け金部係止溝部と係合して、上記掛け金部を施錠状態に保持しうる係合部材と、上記掛け金部の一端部を、上記掛け金部を開錠方向に向かって付勢する付勢部材とからなると共に、
上記非常開錠機構部は、上記錠前本体ケース部において、上記錠前機構部の係合部材が視認可能な位置に、上記錠前本体ケース部の背面部を貫通して設けられた、非常用孔部からなり、
上記非常用孔部から、上記非常用孔部よりも細径の棒状部材を挿入して上記係合部材を移動させることによって、上記掛け金部係止用溝部と上記係合部材との係合を解除しうることを特徴とする請求項１記載の玩具用の南京錠。
【請求項３】
上記係合部材は、上記掛け金部係止用溝部に当接する方向への付勢力を有していることを特徴とする請求項２記載の玩具用の南京錠。
【請求項４】
上記錠前本体ケース部は所定の装飾形状に形成されていることを特徴とする請求項１から請求項３何れか１項に記載の玩具用の南京錠。
【考案の詳細な説明】
【技術分野】
【０００１】
本考案は、鍵を紛失した場合であってでも、開錠することが可能な、非常開錠機構を有する玩具用の南京錠に関する。
【背景技術】
【０００２】
小型の玩具を収納するおもちゃ箱や、女児用の玩具化粧箱等、玩具用の南京錠で鍵を掛けることが可能な、蓋付き箱体の形態を有する製品が流通している。
【０００３】
上記のような形態の製品は、児童に対して、自分で物を管理することを教える教材として有効であり、児童側にとっても、自己の保有品を大切に保管しておきたいという、願望を満足させることができる。
しかしながら、児童の場合、鍵の管理能力が十分でないことから、使用中に鍵を紛失してしまう可能性があり、鍵を紛失した場合には、開錠のために工具等を使って鍵を破壊する必要があることから、おもちゃ箱等を損壊してしまう虞が有った。
また、製造者から、新たに鍵のみを取り寄せるためには、時間と手間を要してしまい、場合によっては、個別に入手できないこともある。
【０００４】
上記のような背景にも関わらず、本来錠前は、他人に開けることができないようすることが本質的機能であり、鍵穴から、鍵以外の部品で開錠するためには、専門の技術と知識が必要であった。
鍵を用いずに開錠可能な構成とすることは、上記のような錠前の本質的な目的に反することにもなるため、玩具用の南京錠の場合であっても、非常用の開錠機構を有する錠前は流通していなかった。
【考案の開示】
【考案が解決しようとする課題】
【０００５】
本考案の課題は、鍵を紛失した場合であっても、保護者の手で簡単に開錠することが可能な、玩具用の南京錠を提供することにある。
【課題を解決するための手段】
【０００６】
上記課題を解決するために、請求項１の考案に係る玩具用の南京錠は、玩具用の収納具等を施錠するために用いられ、錠前本体ケース部と、上記錠前本体ケース部にスライド可能に取り付けられ、施錠対象物に掛止される掛け金部と、上記錠前本体ケース部の内部に配設され、上記掛け金部を施錠状態に保持しうる錠前機構部とを備え、上記錠前本体ケース部には鍵穴部が設けられ、上記鍵穴部から開錠鍵を挿入することによって、上記掛け金部の施錠状態を解除しうる玩具用の南京錠であって、上記錠前本体ケース部には、上記開錠鍵を用いることなく、上記掛け金部の施錠状態を解除しうる、非常開錠機構部が設けられていることを特徴とする。
【０００７】
従って開錠鍵を紛失若しくは破損した場合には、上記非常開錠機構部を介して、掛け金部の施錠状態を解除して開錠する。
【０００８】
また、請求項２に記載した考案に係る玩具用の南京錠は、上記掛け金部は、正面Ｕ字形に形成され、上記掛け金部の一端部は、上記錠前本体ケース部内においてスライド可能に配置されると共に、他端部は、上記一端部のスライド動作に連動して、上記錠前本体ケース部に出没しうるように配置され、上記錠前機構部は、上記掛け金部の一端部に設けられた掛け金部係止用溝部と、上記掛け金部の他端部が上記錠前本体ケース部内に没入された状態において、上記掛け金部係止溝部と係合して、上記掛け金部を施錠状態に保持しうる係合部材と、上記掛け金部の一端部を、上記掛け金部を開錠方向に向かって付勢する付勢部材とからなると共に、上記非常開錠機構部は、上記錠前本体ケース部において、上記錠前機構部の係合部材が視認可能な位置に上記錠前本体ケース部の背面部を貫通して設けられた、非常用孔部からなり、上記非常用孔部から上記非常用孔部よりも細径の棒状部材を挿入して上記係合部材を移動させることによって、上記掛け金部係止用溝部と上記係合部材との係合を解除しうることを特徴とする。
【０００９】
従って、上記非常用孔部に針金部材を挿入して、上記係合部材に当接させながら上記係合部材を直接移動させることによって、上記掛け金部掛止用溝部と上記係合部材との係合を直接解除して開錠する事ができる。
【００１０】
また、請求項３に記載した考案に係る玩具用の南京錠は、上記係合部材は、上記掛け金部係止用溝部に当接する方向への付勢力を有していることを特徴とする。
【００１１】
従って、開錠鍵若しくは非常開錠機構部から針金部材を挿入して、上記掛け金部掛止用溝部と上記係合部材との係合を解除しない限りは、開錠されることがない。
【００１２】
また、請求項４に記載した考案に係る玩具用の南京錠は、上記錠前本体ケース部は所定の装飾形状に形成されていることを特徴とする。
【００１３】
従って、玩具の形態に合わせて、上記錠前本体ケース部のデザインを適宜変更することができる。
【考案の効果】
【００１４】
請求項１の考案にあっては、玩具用の収納具等を施錠するために用いられ、錠前本体ケース部と、上記錠前本体ケース部にスライド可能に取り付けられ、施錠対象物に掛止される掛け金部と、上記錠前本体ケース部の内部に配設され、上記掛け金部を施錠状態に保持しうる錠前機構部とを備え、上記錠前本体ケース部には鍵穴部が設けられ、上記鍵穴部から開錠鍵を挿入することによって、上記掛け金部の施錠状態を解除しうる玩具用の南京錠であって、上記錠前本体ケース部には、上記開錠鍵を用いることなく、上記掛け金部の施錠状態を解除しうる、非常開錠機構部が設けられていることから、上記非常開錠機構部を介して、掛け金部の施錠状態を解除して開錠することができるため、鍵を紛失した場合であっても、保護者の手で簡単に開錠することが可能な、玩具用の南京錠を提供することができる。
【００１５】
また、請求項２の考案にあっては、上記掛け金部は、正面Ｕ字形に形成され、上記掛け金部の一端部は、上記錠前本体ケース部内においてスライド可能に配置されると共に、他端部は、上記一端部のスライド動作に連動して、上記錠前本体ケース部に出没しうるように配置され、上記錠前機構部は、上記掛け金部の一端部に設けられた掛け金部係止用溝部と、上記掛け金部の他端部が上記錠前本体ケース部内に没入された状態において、上記掛け金部係止溝部と係合して、上記掛け金部を施錠状態に保持しうる係合部材と、上記掛け金部の一端部を、上記掛け金部を開錠方向に向かって付勢する付勢部材とからなると共に、上記非常開錠機構部は、上記錠前本体ケース部において、上記錠前機構部の係合部材が視認可能な位置に上記錠前本体ケース部の背面部を貫通して設けられた、非常用孔部からなり、上記非常用孔部から上記非常用孔部よりも細径の棒状部材を挿入して上記係合部材を移動させることによって、上記掛け金部係止用溝部と上記係合部材との係合を解除しうる。
上記棒状部材は、筆記具の先端、楊枝、安全ピンのピン先、針金等、日常的に容易に入手できる特別な部品から調達することができるため、保護者等が容易に施錠を解除することができる。
【００１６】
また、請求項２の考案にあっては、上記係合部材は、上記掛け金部係止用溝部に当接する方向への付勢力を有していることを特徴とする。
従って、上記掛け金部掛止用溝部と上記係合部材との係合が誤って外れてしまうことがない。
【００１７】
また、請求項４に記載した考案に係る玩具用の南京錠は、上記錠前本体ケース部は所定の装飾形状に形成されている。
従って、玩具の形態に合わせて、上記錠前本体ケース部のデザインを適宜変更することができるため、高い外観品質を確保することができる。
【図面の簡単な説明】
【００１８】
【図１】本考案の一実施の形態を示し、開錠状態における背面透過図である。
【図２】本考案の一実施の形態を示し、施錠状態における背面透過図である。
【図３】本考案の一実施の形態を示し、（ａ）は開錠状態における掛け金部の掛け金部掛止用溝部と、係合部材と位置関係、（ｂ）は施錠状態における掛け金部の掛け金部掛止用溝部と、係合部材と位置関係を示す一部拡大の側面透過図である。
【図４】本考案の一実施の形態を示し、施錠状態の錠前本体ケース部の鍵穴部から開錠鍵を挿入して開錠する動作を示す背面透過図である。
【考案を実施するための最良の形態】
【００１９】
以下、添付図面を用いて、本考案の実施の形態について説明する。
図１に示すように、本実施例に係る玩具用の南京錠１０は、所定の装飾形状に形成されると共に、表面に装飾が施された錠前本体ケース部１１と、上記錠前本体ケース部１１にスライド可能に取り付けられ、施錠対象物に掛止される掛け金部１２と、上記錠前本体ケース部１１の内部に配設され、上記掛け金部１２を施錠状態に保持しうる錠前機構部１３とを備えている。
また、上記錠前本体ケース部１１には鍵穴部１４が設けられ、図４に示すように、上記鍵穴部１４から開錠鍵１５を挿入することによって、上記掛け金部１２の施錠状態を解除しうる。
また、上記錠前本体ケース部１１には、上記開錠鍵１５を用いることなく、上記掛け金部のロック状態を解除しうる、非常開錠機構部１６が設けられている。
【００２０】
また、上記掛け金部１２は、略Ｕ字形に形成され、上記掛け金部１２の一端部１２ａは、上記錠前本体ケース部１１内において、スライド可能に配置されると共に、他端部１２ｂは、上記一端部１２ａのスライド動作に連動して、上記錠前本体ケース部１１に出没しうるように配置され、上記錠前機構部１３は、上記掛け金部１２の一端部１２ａに設けられた掛け金部係止用溝部１７と、上記掛け金部１２の他端部１２ｂが上記錠前本体ケース部１１内に没入された状態において、上記掛け金部係止溝部１７と係合して、上記掛け金部１２を係止しうる係合部材１８と、上記掛け金部１２の一端部１２ａを、上記掛け金部１２を上記錠前本体ケース部１１からの外方に向かって付勢する付勢部材１９とからなると共に、上記非常開錠機構部１６は、上記錠前本体ケース部１１において、上記錠前機構部１３の係合部材１８が視認可能な位置に、上記錠前本体ケース部１１の背面部を貫通して設けられた、非常用孔部２０から形成されている。
【００２１】
また、上記係合部材１８は、上記掛け金部係止用溝部１７に当接する方向への付勢力を有している。
【実施例】
【００２２】
以下、上記形態の実施例の構成について、添付図面を用いて詳述する。
図１は本考案に係る玩具用の南京錠の開錠状態を示し、開錠状態における錠前本体ケース部の背面透過図である。
図１に示すように、本実施例に係る南京錠１０の錠前本体ケース部１１は、平面ハート型に形成され、前面部材１１ａの内側面部に突設された嵌合用突起２１ａ、２１ｂ、２１ｃと、背面部材１１ｂの内側面部に設けられた嵌合用孔部２２ａ,２２ｂ,２２ｃを嵌合させることによって、内部に所定の厚さ寸法を有する空間が画成されている。
【００２３】
図１に示すように、上記錠前本体ケース部１１の上端部の幅方向両端部には、上記錠前本体ケース部１１の内部に貫通する掛け金用孔部２３ａ，２３ｂが形成され、掛け金用孔部２３ａには、掛け金部１２の一端部１２ａがスライド可能に挿通されると共に、上記掛け金用孔部２３ｂには、上記掛け金部１２の他端部１２ｂが上記掛け金部１２のスライド動作に連動して出没するように形成されている。
【００２４】
また、上記掛け金部１２の一端部１２ａには、上記掛け金部１２の一端部１２ａを、錠前本体ケース部１１の外方、即ち開錠方向に向かって付勢する付勢部材１９が、付勢部材支持部２４に配設されている。
【００２５】
また、上記掛け金部係止用溝部１７は、上記掛け金部１２の一端部１２ａの近傍に形成され、上記掛け金部１２の一端部１２ａに直交する方向に沿って、所定の幅寸法に形成されている。
【００２６】
また、係合部材１８は、細径の金属製の棒状部材からなり、上記錠前本体ケース部１１内において、上記錠前本体ケース部１１の幅方向に沿って配置されている。
上記係合部材１８の一端部１８ａは、固定部材２５に固定されると共に、図３（ａ）に示すように、他端部１８ｂは、上記掛け金部１２の一端部１２ａの近傍に上記掛け金部１２に当接した状態で配置されている。
【００２７】
図２は、施錠状態を示す錠前本体ケース部１１の背面透過図である。
図２に示すように、掛け金部１２を、上記付勢部材１９の付勢力に抗して、スライドさせることによって、図３（ａ）に示すように、上記係合部材１８は、上記掛け金部１２に沿って、図中矢印Ａの方向に摺動し、図３（ｂ）に示すように、上記掛け金部１２の一端部１２ａに形成された掛け金部係止用溝部１７の位置まで摺動すると、上記係合部材１８が、上記掛け金部１２に当接する方向に付勢力を有していることから、上記係合部材１８は上記掛け金部係止用溝部１７に係合し、同時に上記掛け金部１２の他端部１２ｂは、掛け金用孔部２３ｂに没入して、上記掛け金部１２は施錠状態に保持される。
【００２８】
また、図４は、本考案に係る玩具用の南京錠１０において、施錠状態の錠前本体ケース部１１の鍵穴部１４から開錠鍵１５を挿入した状態を示す背面透過図である。
図４に示すように、鍵穴部１４から開錠鍵１５に挿入することによって、開錠鍵１５は、案内部材２６に案内され、上記開錠鍵１５の先端部が、上記係合部材１８に当接する。
この状態で、図中矢印Ｂの方向に開錠鍵１５を回転させると、上記開錠鍵１５の先端部によって、図３（ｂ）矢印Ｃの方向に上記係合部材１８が押し下げられ、上記掛け金部係止用溝部１７との係合が解除されるため、付勢部材１９の付勢力によって、上記掛け金部１２が図中矢印Ｄの方向、即ち開錠方向に移動して開錠される。
【００２９】
開錠鍵１５を紛失等により失った場合の、開錠方法について説明する。
図２に示すように、施錠状態においても、上記錠前本体ケース部１１に設けられた非常用孔部２０から、上記係合部材１８が視認できるため、上記非常用孔部２０から上記係合部材１８を確認しながら、筆記具の先端、楊枝、安全ピンのピン先、針金等の細径の棒状部材（図２には図示せず）で、上記係合部材１８を、上記錠前本体ケース部１１の前面方向に向かって押圧することによって、上記係合部材１８が移動して、上記掛け金部係止用溝部１７との係合が解除されて開錠される。
【００３０】
上記の通り、棒状部材は通常の家庭内において簡単に準備できるものであることから、開錠鍵１５を紛失した場合であっても、別途取り寄せる等の手間を掛ける必要が無い。
また、非常開錠機構部１６は、上記錠前本体ケース部１１の背面部材１１ｂに、上記錠前本体ケース部１１の内部に貫通する非常用孔部２０を設けるのみで形成しうるため、錠前機構部１３等の他の構成には、何らの変更も不要である。
従って、従来の玩具用の南京錠に、簡易な加工を加えることによって容易に製造することができる。
【００３１】
なお、本実施例に係る錠前記孔部の構成はあくまで一例であり、係合部材の形状、配置箇所等については、錠前の大きさ、形状等によって適宜変更することが可能であり、非常用孔部の位置、大きさについても、係合部材を鍵穴部以外から直接視認でき、且つ操作可能な位置であれば、適宜変更することができる。
【産業上の利用可能性】
【００３２】
本考案は、鍵を紛失した場合であってでも、開錠することが可能な、非常開錠機構を有する玩具用の南京錠に適用可能である。
【符号の説明】
【００３３】
１０  玩具用の南京錠
１１  錠前本体ケース部
１１ａ前面部材
１１ｂ背面部材
１２  掛け金部
１２ａ掛け金部一端部
１２ｂ掛け金部他端部
１３錠前機構部
１４  鍵穴部
１５  開錠鍵
１６非常開錠機構部
１７  掛け金部係止溝部
１８  係合部材
１８ａ係合部材一端部
１８ｂ係合部材他端部
１９  付勢部材
２０  非常用孔部
２１ａ嵌合用突起
２１ｂ嵌合用突起
２１ｃ嵌合用突起
２２ａ嵌合用孔部
２２ｂ嵌合用孔部
２２ｃ嵌合用孔部
２３ａ掛け金用孔部
２３ｂ掛け金用孔部
２４  付勢部材支持部
２５  固定部材
２６  案内部材
【図１】
0003170329.tif 000003
【図２】
0003170329.tif 000004
【図３】
0003170329.tif 000005
【図４】
0003170329.tif 000006
【手続補正書】
【提出日】平成23年7月19日(2011.7.19)
【手続補正１】
【補正対象書類名】実用新案登録請求の範囲
【補正対象項目名】全文
【補正方法】変更
【補正の内容】
【実用新案登録請求の範囲】
【請求項１】
玩具用の収納具等を施錠するために用いられ、
錠前本体ケース部と、上記錠前本体ケース部にスライド可能に取り付けられ、施錠対象物に掛止される掛け金部と、上記錠前本体ケース部の内部に配設され、上記掛け金部を施錠状態に保持しうる錠前機構部とを備え、上記錠前本体ケース部には鍵穴部が設けられ、上記鍵穴部から開錠鍵を挿入することによって、上記掛け金部の施錠状態を解除しうる玩具用の南京錠であって、
上記錠前本体ケース部には、上記開錠鍵を用いることなく、上記掛け金部の施錠状態を解除しうる非常開錠機構部が設けられ、上記非常開錠機構部は、上記錠前本体ケース部において、上記錠前機構部の係合部材が視認可能な位置に、上記錠前本体ケース部の背面部を貫通して設けられた、非常用孔部からなり、上記非常用孔部から、上記非常用孔部よりも細径の棒状部材を挿入して上記係合部材を移動させることによって、上記掛け金部係止用溝部と上記係合部材との係合を解除しうることを特徴とする玩具用の南京錠。
【請求項２】
上記掛け金部は、正面Ｕ字形に形成され、上記掛け金部の一端部は、上記錠前本体ケース部内において、スライド可能に配置されると共に、他端部は、上記一端部のスライド動作に連動して、上記錠前本体ケース部に出没しうるように配置され、  上記錠前機構部は、上記掛け金部の一端部に設けられた掛け金部係止用溝部と、上記掛け金部の他端部が上記錠前本体ケース部内に没入された状態において、上記掛け金部係止溝部と係合して、上記掛け金部を施錠状態に保持しうる係合部材と、上記掛け金部の一端部を、上記掛け金部を開錠方向に向かって付勢する付勢部材とからなることを特徴とする請求項１記載の南京錠。  
【請求項３】
上記係合部材は、上記掛け金部係止用溝部に当接する方向への付勢力を有していることを特徴とする請求項２記載の玩具用の南京錠。
【請求項４】
上記錠前本体ケース部は所定の装飾形状に形成されていることを特徴とする請求項１から請求項３何れか１項に記載の玩具用の南京錠。
【手続補正２】
【補正対象書類名】明細書
【補正対象項目名】全文
【補正方法】変更
【補正の内容】
【考案の詳細な説明】
【技術分野】
【０００１】
本考案は、鍵を紛失した場合であってでも、開錠することが可能な、非常開錠機構を有する玩具用の南京錠に関する。
【背景技術】
【０００２】
小型の玩具を収納するおもちゃ箱や、女児用の玩具化粧箱等、玩具用の南京錠で鍵を掛けることが可能な、蓋付き箱体の形態を有する製品が流通している。  
【０００３】
上記のような形態の製品は、児童に対して、自分で物を管理することを教える教材として有効であり、児童側にとっても、自己の保有品を大切に保管しておきたいという、願望を満足させることができる。
しかしながら、児童の場合、鍵の管理能力が十分でないことから、使用中に鍵を紛失してしまう可能性があり、鍵を紛失した場合には、開錠のために工具等を使って鍵を破壊する必要があることから、おもちゃ箱等を損壊してしまう虞が有った。
また、製造者から、新たに鍵のみを取り寄せるためには、時間と手間を要してしまい、場合によっては、個別に入手できないこともある。
【０００４】
上記のような背景にも関わらず、本来錠前は、他人に開けることができないようすることが本質的機能であり、鍵穴から、鍵以外の部品で開錠するためには、専門の技術と知識が必要であった。
鍵を用いずに開錠可能な構成とすることは、上記のような錠前の本質的な目的に反することにもなるため、玩具用の南京錠の場合であっても、非常用の開錠機構を有する錠前は流通していなかった。
【考案の開示】
【考案が解決しようとする課題】
【０００５】
本考案の課題は、鍵を紛失した場合であっても、保護者の手で簡単に開錠することが可能な、玩具用の南京錠を提供することにある。
【課題を解決するための手段】
【０００６】
上記課題を解決するために、請求項１の考案に係る玩具用の南京錠は、玩具用の収納具等を施錠するために用いられ、錠前本体ケース部と、上記錠前本体ケース部にスライド可能に取り付けられ、施錠対象物に掛止される掛け金部と、上記錠前本体ケース部の内部に配設され、上記掛け金部を施錠状態に保持しうる錠前機構部とを備え、上記錠前本体ケース部には鍵穴部が設けられ、上記鍵穴部から開錠鍵を挿入することによって、上記掛け金部の施錠状態を解除しうる玩具用の南京錠であって、上記錠前本体ケース部には、上記開錠鍵を用いることなく、上記掛け金部の施錠状態を解除しうる、非常開錠機構部が設けられ、上記非常開錠機構部は、上記錠前本体ケース部において、上記錠前機構部の係合部材が視認可能な位置に、上記錠前本体ケース部の背面部を貫通して設けられた、非常用孔部からなり、上記非常用孔部から、上記非常用孔部よりも細径の棒状部材を挿入して上記係合部材を移動させることによって、上記掛け金部係止用溝部と上記係合部材との係合を解除しうることを特徴とする。  
【０００７】
従って開錠鍵を紛失若しくは破損した場合には、上記非常開錠機構部を介して、掛け金部の施錠状態を解除して開錠する。即ち、上記非常用孔部に針金部材を挿入して、上記係合部材に当接させながら上記係合部材を直接移動させることによって、上記掛け金部掛止用溝部と上記係合部材との係合を直接解除して開錠する事ができる。
【０００８】
また、請求項２に記載した考案に係る玩具用の南京錠は、上記掛け金部は、正面Ｕ字形に形成され、上記掛け金部の一端部は、上記錠前本体ケース部内においてスライド可能に配置されると共に、他端部は、上記一端部のスライド動作に連動して、上記錠前本体ケース部に出没しうるように配置され、上記錠前機構部は、上記掛け金部の一端部に設けられた掛け金部係止用溝部と、上記掛け金部の他端部が上記錠前本体ケース部内に没入された状態において、上記掛け金部係止溝部と係合して、上記掛け金部を施錠状態に保持しうる係合部材と、上記掛け金部の一端部を、上記掛け金部を開錠方向に向かって付勢する付勢部材とからなると共に、上記非常開錠機構部は、上記錠前本体ケース部において、上記錠前機構部の係合部材が視認可能な位置に上記錠前本体ケース部の背面部を貫通して設けられた、非常用孔部からなり、上記非常用孔部から上記非常用孔部よりも細径の棒状部材を挿入して上記係合部材を移動させることによって、上記掛け金部係止用溝部と上記係合部材との係合を解除しうることを特徴とする。    
【０００９】
また、請求項３に記載した考案に係る玩具用の南京錠は、上記係合部材は、上記掛け金部係止用溝部に当接する方向への付勢力を有していることを特徴とする。  
【００１０】
従って、開錠鍵若しくは非常開錠機構部から針金部材を挿入して、上記掛け金部掛止用溝部と上記係合部材との係合を解除しない限りは、開錠されることがない。
【００１１】
また、請求項４に記載した考案に係る玩具用の南京錠は、上記錠前本体ケース部は所定の装飾形状に形成されていることを特徴とする。  
【００１２】
従って、玩具の形態に合わせて、上記錠前本体ケース部のデザインを適宜変更することができる。
【考案の効果】
【００１３】
請求項１及び２記載の考案にあっては、玩具用の収納具等を施錠するために用いられ、錠前本体ケース部と、上記錠前本体ケース部にスライド可能に取り付けられ、施錠対象物に掛止される掛け金部と、上記錠前本体ケース部の内部に配設され、上記掛け金部を施錠状態に保持しうる錠前機構部とを備え、上記錠前本体ケース部には鍵穴部が設けられ、上記鍵穴部から開錠鍵を挿入することによって、上記掛け金部の施錠状態を解除しうる玩具用の南京錠であって、上記錠前本体ケース部には、上記開錠鍵を用いることなく、上記掛け金部の施錠状態を解除しうる、非常開錠機構部が設けられていることから、上記非常開錠機構部を介して、掛け金部の施錠状態を解除して開錠することができるため、鍵を紛失した場合であっても、保護者の手で簡単に開錠することが可能な、玩具用の南京錠を提供することができる。
【００１４】
上記非常開錠機構部は、上記錠前本体ケース部において、上記錠前機構部の係合部材が視認可能な位置に上記錠前本体ケース部の背面部を貫通して設けられた、非常用孔部からなり、上記非常用孔部から上記非常用孔部よりも細径の棒状部材を挿入して上記係合部材を移動させることによって、上記掛け金部係止用溝部と上記係合部材との係合を解除しうる。
【００１５】
上記棒状部材は、筆記具の先端、楊枝、安全ピンのピン先、針金等、日常的に容易に入手できる特別な部品から調達することができるため、保護者等が容易に施錠を解除することができる。  
【００１６】
また、請求項３の考案にあっては、上記係合部材は、上記掛け金部係止用溝部に当接する方向への付勢力を有していることを特徴とする。
従って、上記掛け金部掛止用溝部と上記係合部材との係合が誤って外れてしまうことがない。  
【００１７】
また、請求項４に記載した考案に係る玩具用の南京錠は、上記錠前本体ケース部は所定の装飾形状に形成されている。  従って、玩具の形態に合わせて、上記錠前本体ケース部のデザインを適宜変更することができるため、高い外観品質を確保することができる。
【図面の簡単な説明】
【００１８】
【図１】本考案の一実施の形態を示し、開錠状態における背面透過図である。
【図２】本考案の一実施の形態を示し、施錠状態における背面透過図である。
【図３】本考案の一実施の形態を示し、（ａ）は開錠状態における掛け金部の掛け金部掛止用溝部と、係合部材と位置関係、（ｂ）は施錠状態における掛け金部の掛け金部掛止用溝部と、係合部材と位置関係を示す一部拡大の側面透過図である。
【図４】本考案の一実施の形態を示し、施錠状態の錠前本体ケース部の鍵穴部から開錠鍵を挿入して開錠する動作を示す背面透過図である。
【考案を実施するための最良の形態】
【００１９】
以下、添付図面を用いて、本考案の実施の形態について説明する。
図１に示すように、本実施例に係る玩具用の南京錠１０は、所定の装飾形状に形成されると共に、表面に装飾が施された錠前本体ケース部１１と、上記錠前本体ケース部１１にスライド可能に取り付けられ、施錠対象物に掛止される掛け金部１２と、上記錠前本体ケース部１１の内部に配設され、上記掛け金部１２を施錠状態に保持しうる錠前機構部１３とを備えている。
また、上記錠前本体ケース部１１には鍵穴部１４が設けられ、図４に示すように、上記鍵穴部１４から開錠鍵１５を挿入することによって、上記掛け金部１２の施錠状態を解除しうる。
また、上記錠前本体ケース部１１には、上記開錠鍵１５を用いることなく、上記掛け金部のロック状態を解除しうる、非常開錠機構部１６が設けられている。
【００２０】
また、上記掛け金部１２は、略Ｕ字形に形成され、上記掛け金部１２の一端部１２ａは、上記錠前本体ケース部１１内において、スライド可能に配置されると共に、他端部１２ｂは、上記一端部１２ａのスライド動作に連動して、上記錠前本体ケース部１１に出没しうるように配置され、上記錠前機構部１３は、上記掛け金部１２の一端部１２ａに設けられた掛け金部係止用溝部１７と、上記掛け金部１２の他端部１２ｂが上記錠前本体ケース部１１内に没入された状態において、上記掛け金部係止溝部１７と係合して、上記掛け金部１２を係止しうる係合部材１８と、上記掛け金部１２の一端部１２ａを、上記掛け金部１２を上記錠前本体ケース部１１からの外方に向かって付勢する付勢部材１９とからなると共に、上記非常開錠機構部１６は、上記錠前本体ケース部１１において、上記錠前機構部１３の係合部材１８が視認可能な位置に、上記錠前本体ケース部１１の背面部を貫通して設けられた、非常用孔部２０から形成されている。  
【００２１】
また、上記係合部材１８は、上記掛け金部係止用溝部１７に当接する方向への付勢力を有している。
【実施例】
【００２２】
以下、上記形態の実施例の構成について、添付図面を用いて詳述する。
図１は本考案に係る玩具用の南京錠の開錠状態を示し、開錠状態における錠前本体ケース部の背面透過図である。  図１に示すように、本実施例に係る南京錠１０の錠前本体ケース部１１は、平面ハート型に形成され、前面部材１１ａの内側面部に突設された嵌合用突起２１ａ、２１ｂ、２１ｃと、背面部材１１ｂの内側面部に設けられた嵌合用孔部２２ａ,２２ｂ,２２ｃを嵌合させることによって、内部に所定の厚さ寸法を有する空間が画成されている。  
【００２３】
図１に示すように、上記錠前本体ケース部１１の上端部の幅方向両端部には、上記錠前本体ケース部１１の内部に貫通する掛け金用孔部２３ａ，２３ｂが形成され、掛け金用孔部２３ａには、掛け金部１２の一端部１２ａがスライド可能に挿通されると共に、上記掛け金用孔部２３ｂには、上記掛け金部１２の他端部１２ｂが上記掛け金部１２のスライド動作に連動して出没するように形成されている。  
【００２４】
また、上記掛け金部１２の一端部１２ａには、上記掛け金部１２の一端部１２ａを、錠前本体ケース部１１の外方、即ち開錠方向に向かって付勢する付勢部材１９が、付勢部材支持部２４に配設されている。  
【００２５】
また、上記掛け金部係止用溝部１７は、上記掛け金部１２の一端部１２ａの近傍に形成され、上記掛け金部１２の一端部１２ａに直交する方向に沿って、所定の幅寸法に形成されている。  
【００２６】
また、係合部材１８は、細径の金属製の棒状部材からなり、上記錠前本体ケース部１１内において、上記錠前本体ケース部１１の幅方向に沿って配置されている。
上記係合部材１８の一端部１８ａは、固定部材２５に固定されると共に、図３（ａ）に示すように、他端部１８ｂは、上記掛け金部１２の一端部１２ａの近傍に上記掛け金部１２に当接した状態で配置されている。  
【００２７】
図２は、施錠状態を示す錠前本体ケース部１１の背面透過図である。
図２に示すように、掛け金部１２を、上記付勢部材１９の付勢力に抗して、スライドさせることによって、図３（ａ）に示すように、上記係合部材１８は、上記掛け金部１２に沿って、図中矢印Ａの方向に摺動し、図３（ｂ）に示すように、上記掛け金部１２の一端部１２ａに形成された掛け金部係止用溝部１７の位置まで摺動すると、上記係合部材１８が、上記掛け金部１２に当接する方向に付勢力を有していることから、上記係合部材１８は上記掛け金部係止用溝部１７に係合し、同時に上記掛け金部１２の他端部１２ｂは、掛け金用孔部２３ｂに没入して、上記掛け金部１２は施錠状態に保持される。  
【００２８】
また、図４は、本考案に係る玩具用の南京錠１０において、施錠状態の錠前本体ケース部１１の鍵穴部１４から開錠鍵１５を挿入した状態を示す背面透過図である。
図４に示すように、鍵穴部１４から開錠鍵１５に挿入することによって、開錠鍵１５は、案内部材２６に案内され、上記開錠鍵１５の先端部が、上記係合部材１８に当接する。  この状態で、図中矢印Ｂの方向に開錠鍵１５を回転させると、上記開錠鍵１５の先端部によって、図３（ｂ）矢印Ｃの方向に上記係合部材１８が押し下げられ、上記掛け金部係止用溝部１７との係合が解除されるため、付勢部材１９の付勢力によって、上記掛け金部１２が図中矢印Ｄの方向、即ち開錠方向に移動して開錠される。  
【００２９】
開錠鍵１５を紛失等により失った場合の、開錠方法について説明する。
図２に示すように、施錠状態においても、上記錠前本体ケース部１１に設けられた非常用孔部２０から、上記係合部材１８が視認できるため、上記非常用孔部２０から上記係合部材１８を確認しながら、筆記具の先端、楊枝、安全ピンのピン先、針金等の細径の棒状部材（図２には図示せず）で、上記係合部材１８を、上記錠前本体ケース部１１の前面方向に向かって押圧することによって、上記係合部材１８が移動して、上記掛け金部係止用溝部１７との係合が解除されて開錠される。  
【００３０】
上記の通り、棒状部材は通常の家庭内において簡単に準備できるものであることから、開錠鍵１５を紛失した場合であっても、別途取り寄せる等の手間を掛ける必要が無い。
また、非常開錠機構部１６は、上記錠前本体ケース部１１の背面部材１１ｂに、上記錠前本体ケース部１１の内部に貫通する非常用孔部２０を設けるのみで形成しうるため、錠前機構部１３等の他の構成には、何らの変更も不要である。
従って、従来の玩具用の南京錠に、簡易な加工を加えることによって容易に製造することができる。  
【００３１】
なお、本実施例に係る錠前記孔部の構成はあくまで一例であり、係合部材の形状、配置箇所等については、錠前の大きさ、形状等によって適宜変更することが可能であり、非常用孔部の位置、大きさについても、係合部材を鍵穴部以外から直接視認でき、且つ操作可能な位置であれば、適宜変更することができる。
【産業上の利用可能性】
【００３２】
本考案は、鍵を紛失した場合であってでも、開錠することが可能な、非常開錠機構を有する玩具用の南京錠に適用可能である。
【符号の説明】
【００３３】
１０  玩具用の南京錠
１１  錠前本体ケース部
１１ａ前面部材
１１ｂ背面部材
１２  掛け金部
１２ａ掛け金部一端部
１２ｂ掛け金部他端部
１３錠前機構部
１４  鍵穴部
１５  開錠鍵
１６非常開錠機構部
１７  掛け金部係止溝部
１８  係合部材
１８ａ係合部材一端部
１８ｂ係合部材他端部
１９  付勢部材
２０  非常用孔部
２１ａ嵌合用突起
２１ｂ嵌合用突起
２１ｃ嵌合用突起
２２ａ嵌合用孔部
２２ｂ嵌合用孔部
２２ｃ嵌合用孔部
２３ａ掛け金用孔部
２３ｂ掛け金用孔部
２４  付勢部材支持部
２５  固定部材
２６  案内部材